(57)【要約】【課題】開き窓部と嵌め殺し窓部を有するカーテンウォールのパネルユニットの縦枠を枠体の上下方向に連続した一体とすることができるようにする。【解決手段】縦枠１０を、その室外側部に障子収納兼アタッチメント取付部１０ａを有するものとし、その障子収納兼アタッチメント取付部１０ａに障子６の縦框６ａを収納することで開き窓部２とすると共に、縦枠アタッチメント２０を取付けてパネル装着部１０ｂを形成し、そのパネル装着部１０ｂにパネル７の縦縁部を装着して嵌め殺し窓部とすることで、縦枠１０を枠体４の上下方向に連続した一体とする。【選択図】図２
2008285912.tif 000002
【特許請求の範囲】
【請求項１】
相対向する一対の縦枠間に複数の横枠を架設して上下方向に複数の枠部を有する枠体を形成し、前記複数の枠部の内、少なくとも１つの枠部を開き窓部とし、また少なくとも１つの枠部を嵌め殺し窓部としてなるカーテンウォールのパネルユニットにおいて、
前記枠体の縦枠は開き窓部と嵌め殺し窓部を通して上下方向に連続しており、更に、前記枠体の縦枠は、その室外側部に障子収納兼アタッチメント取付部を有し、
この障子収納兼アタッチメント取付部は、障子の縦框を収納可能で、かつ縦枠アタッチメントを取付け可能で、
前記縦枠の障子収納兼アタッチメント取付部における開き窓部を形成する部分に障子を開閉可能に取付けて開き窓部とし、
前記縦枠の障子収納兼アタッチメント取付部における嵌め殺し窓部を形成する部分に縦枠アタッチメントを取付けてパネル装着部を形成し、そのパネル装着部にパネルの縦縁部を装着して嵌め殺し窓部としたことを特徴とするカーテンウォールのパネルユニット。
【請求項２】
縦枠アタッチメントの室外側面と障子の縦框の室外側面が室内外方向に同一位置で、
障子の障子パネルの室外側面と嵌め殺し窓部のパネルの室外側面が室内外方向に同一位置である請求項１記載のカーテンウォールのパネルユニット。
【請求項３】
障子の縦框における障子パネルを装着する内向凹部を形成する室外側部と、縦枠アタッチメントのパネル装着部を形成する室外側部が、外観が同一の形状で、かつ内側端面が面内方向に同一位置である請求項２記載のカーテンウォールのパネルユニット。
【請求項４】
縦枠の障子収納兼アタッチメント取付部は、横向板と突出板で平面形状が鉤形状で、
障子の縦框は、障子パネルよりも室内側に内向突部を有し、この内向突部と前記突出板との間に縦空間部を有している請求項１又は２又は３記載のカーテンウォールのパネルユニット。
【発明の詳細な説明】
【技術分野】
【０００１】
本発明は、カーテンウォールのパネルユニットに関する。
【背景技術】
【０００２】
カーテンウォールのパネルユニットとしては、枠体に障子を開閉自在に取付けた開き窓部を有するものと、枠体にパネルを装着した嵌め殺し窓部を有するものが知られている。
例えば、特許文献１に開示されたように、枠体に障子を開閉自在に取付けた開き窓部を有するパネルユニットと、枠体にガラスを装着した嵌め殺し窓部を有するパネルユニットが知られている。
【特許文献１】特開平８−８２１４６号公報
【発明の開示】
【発明が解決しようとする課題】
【０００３】
前述した従来の開き窓部を有するパネルユニットの枠体は、障子を開閉自在に取付け可能な形状で、嵌め殺し窓部を有するパネルユニットの枠体はガラスを装着できる形状であるから、その枠体の形状は異なる。
このために、枠体内の上下一方寄りに障子を開閉自在に取付け、その枠体内の上下他方寄りにガラスを装着して枠体の上下に開き窓部と嵌め殺し窓部を有するパネルユニットとする場合に、枠体を構成する縦枠が開き窓部用の縦枠と嵌め殺し窓部用の縦枠の２種類を必要とし、その各縦枠部を上下に連結して縦枠とすることになる。
したがって、開き窓部と嵌め殺し窓部を有するパネルユニットにおいては、２種類の縦枠を製作準備することになり、コスト高となる。
しかも、縦枠が２種類の縦枠を上下方向に連結したものであるから、枠体の強度が弱く、運搬、施工時に枠体が不安定で、その運搬、施工がやりづらい。
【０００４】
本発明の目的は、開き窓部と嵌め殺し窓部を有すると共に、その縦体を枠体の上下方向に連続した一体とすることができるカーテンウォールのパネルユニットとすることである。
【課題を解決するための手段】
【０００５】
本発明は、相対向する一対の縦枠間に複数の横枠を架設して上下方向に複数の枠部を有する枠体を形成し、前記複数の枠部の内、少なくとも１つの枠部を開き窓部とし、また少なくとも１つの枠部を嵌め殺し窓部としてなるカーテンウォールのパネルユニットにおいて、
前記枠体の縦枠は開き窓部と嵌め殺し窓部を通して上下方向に連続しており、更に、前記枠体の縦枠は、その室外側部に障子収納兼アタッチメント取付部を有し、
この障子収納兼アタッチメント取付部は、障子の縦框を収納可能で、かつ縦枠アタッチメントを取付け可能で、
前記縦枠の障子収納兼アタッチメント取付部における開き窓部を形成する部分に障子を開閉可能に取付けて開き窓部とし、
前記縦枠の障子収納兼アタッチメント取付部における嵌め殺し窓部を形成する部分に縦枠アタッチメントを取付けてパネル装着部を形成し、そのパネル装着部にパネルの縦縁部を装着して嵌め殺し窓部としたことを特徴とするカーテンウォールのパネルユニットである。
【０００６】
本発明のカーテンウォールのパネルユニットにおいては、縦枠アタッチメントの室外側面と障子の縦框の室外側面が室内外方向に同一位置で、
障子の障子パネルの室外側面と嵌め殺し窓部のパネルの室外側面が室内外方向に同一位置とすることができる。
このようにすれば、開き窓部の室外側面と嵌め殺し窓部の室外側面が室内外側方向に同一位置となるので、室外から見た時の見栄えが良い。
【０００７】
本発明のカーテンウォールのパネルユニットにおいては、障子の縦框における障子パネルを装着する内向凹部を形成する室外側部と、縦枠アタッチメントのパネル装着部を形成する室外側部が、外観が同一の形状で、かつ内側端面が面内方向に同一位置とすることができる。
このようにすれば、開き窓部の障子の縦框の室外側部と縦枠アタッチメントの室外側部が同一の外観で、上下方向に連続して見えるので、室外からの見栄えが良い。
【０００８】
本発明のカーテンウォールのパネルユニットにおいては、縦枠の障子収納兼アタッチメント取付部は、横向板と突出板で平面形状が鉤形状で、
障子の縦框は、障子パネルよりも室内側に内向突部を有し、この内向突部と前記突出板との間に縦空間部を有するものにできる。
このようにすれば、障子を開閉可能とする部品を縦空間部に取付けることで、その部品が室外から見えないようにできる。
【発明の効果】
【０００９】
本発明によれば、開き窓部と嵌め殺し窓部を有すると共に、縦枠を枠体の上下方向に連続した一体とすることができる。
したがって、１種類の縦枠を製作準備すれば良いので、コストを安くできる。
しかも、枠体の強度が向上し、運搬、施工時に枠体が安定し、その運搬、施工が容易である。
また、縦枠の障子収納兼アタッチメント取付部に障子の縦框を収納すれば開き窓部となるし、縦枠アタッチメントを取付けることで嵌め殺し窓部とすることができ、縦枠に加工する必要がない。
【発明を実施するための最良の形態】
【００１０】
図１に示すように、カーテンウォールのパネルユニット１は開き窓部２と嵌め殺し窓部３を有している。この開き窓部２は可動部と呼ばれ、嵌め殺し窓部３はＦｉｘ部と呼ばれる。
この実施の形態では、１つの開き窓部２の上下に複数の嵌め殺し窓部３を有するカーテンウォールのパネルユニットで、上下・左右に順次取付けることでカーテンウォールを構成する。
前記パネルユニット１の枠体４は、左右の縦枠１０と上横枠１１と下横枠１２と中間横枠１３で複数の枠部５を有している。
前記枠部５に障子６を開閉自在に取付けて前述の開き窓部２としてある。
前記枠部５にガラス等のパネル７を装着して前述の嵌め殺し窓部３としてある。
【００１１】
前記縦枠１０は図２、図３に示すように、室外側部に障子収納兼アタッチメント取付部１０ａを有する。
そして、図２に示すように障子収納兼アタッチメント取付部１０ａにおける開き窓部２を形成する部分に、障子６を閉じた時に、その縦框６ａが収納される。
図３に示すように、障子収納兼アタッチメント取付部１０ａにおける嵌め殺し窓部３を形成する部分に縦枠アタッチメント２０を取付け、この縦枠アタッチメント２０と障子収納兼アタッチメント取付部１０ａとでパネル装着部１０ｂを形成している。
このパネル装着部１０ｂにパネル７の縦縁部を装着して前述の嵌め殺し窓部３としてある。
【００１２】
このようであるから、縦枠１０を枠体４の上下方向に連続した一体とすることができる。
しかも、縦枠１０の障子収納兼アタッチメント取付部１０ａに障子６の縦框６ａを収納して開き窓部２とし、縦枠アタッチメント２０を取付けてパネル装着部１０ｂを形成すると共に、そのパネル装着部１０ｂにパネル７の縦枠部を装着して嵌め殺し窓部３としているので、前記障子収納兼アタッチメント取付部１０ａを加工する必要がない。
【００１３】
前記障子収納兼アタッチメント取付部１０ａの具体形状の一例を説明する。
前記障子収納兼アタッチメント取付部１０ａは、縦枠本体３０の室外側に一体的に設けた横向板３１と、この横向板３１に一体的に設けた突出板３２とで平面形状がほぼ鉤形状である。
前記横向板３１は室内外側方向と直交する方向（つまり、面内方向）に向かい、この横向板３１に縦シール材３３が長手方向に連続して取付けてある。この縦シール材３３は室外側に向けて突出する。
前記突出板３２は横向板３１よりも室外側に向けて突出し、その突出端部が障子当接部３４である。この突出板３２にアタッチメント取付用の係止片３５が一体的に設けてある。
【００１４】
前記障子６の縦框６ａは、図２に示すように前記縦シール材３３に接すると共に、前記障子当接部３４に接するシール材４０を有した本体４１と、この本体４１に取付けた押縁４２で内向凹部４３を有し、その内向凹部４３にガラス等の障子パネル４４が装着してある。
前記縦框６ａの本体４１は、前記障子パネル４４よりも室内側に突出した内向突部４１ａを有している。
この内向突部４１ａは突出板３２よりも面内方向の内側に位置し、この内向突部４１ａと突出板３２との間に縦空間部ａを有している。
【００１５】
前記縦空間部ａに障子６を開閉可能とするための部品を取付けできる。
例えば、障子６を辷り出し窓とするためのリンク機構、引寄せ片、外れ止め金具、締まり金具、ガイドローラなどを取付けできる。
このようにすることで、前述の部品が室外から見えないようにできるので、外観の見栄えが良い。
【００１６】
前記縦枠アタッチメント２０は図３に示すように、室内外側方向に向かう本体２１と、この本体２１の室外側部に面内方向に向けて一体的に設けた室外側横向板２２で鉤形状で、その本体２１の室内側寄りに設けた係止受片２３を前記係止片３５に係止して取付けられる。
【００１７】
前記縦枠アタッチメント２０の室外側面２０ａ（室外側横向板２２）と障子６の縦框６ａの室外側面（押縁４２の室外側面４２ａ）とが室内外方向に同一位置である。
また、障子６の障子パネル４４の室外側面４４ａと嵌め殺し窓部３のパネル７の室外側面７ａを室内側方向に同一位置としてある。
このようであるから、開き窓部２の室外側面と嵌め殺し窓部３の室外側面が室内外方向に同一位置となるので、室外から見た時の見栄えが良い。
【００１８】
前記縦框６ａの内向凹部４３を形成する室外側部（押縁４２の室外側面４２ａ）と、縦枠アタッチメント２０のパネル装着部１０ｂを形成する室外側部（室外側面２０ａ、室外側横向板２２）は外観が同一形状である。例えば平板形状である。
前記各室外側部の面内方向の寸法は同一で、その内側端面ｂ（押縁４２の室外側面４２ａの端部）と内側端面ｃ（室外側横向板２２の端面）は、面内方向に同一位置である。
【００１９】
このようであるから、開き窓部２の障子６の縦框６ａの室外側部と嵌め殺し窓部３の縦枠アタッチメント２０の室外側部が同一外観で、その室外側部とパネル７の境目と、その室外側部と障子パネル４４の境い目が面内方向に同一位置となって上下方向に連続して見えるから、室外からの見栄えが良い。
【００２０】
また、図１に示すようにパネルユニット１を左右方向に隣接して取付けし、一方のパネルユニット１の開き窓部２と他方のパネルユニット１の嵌め殺し窓部３が左右に隣接する場合に、図２、図３に示すように左右の隣接した開き窓部２の室外側面と嵌め殺し窓部３の室外側面を室内外方向に同一位置とすることができる。つまり。同一の見付けとすることができる。
【００２１】
この実施の形態では、縦枠１０の障子収納兼アタッチメント取付部１０ａ（突出板３２）に押縁２４がビス等で固着して取付けてある。
この押縁２４と縦枠アタッチメント２０とで前述のパネル装着部１０ｂを形成し、嵌め殺し窓部３のパネル７を室外側寄りとしてある。これにより、障子６の障子パネル４４の室外側面４４ａと嵌め殺し窓部３のパネル７の室外側面７ａを室内外側方向に同一位置とし易い。
【００２２】
前記上横枠１１と下横枠１２は図４に示すように、本体１１ａ，１２ａに押縁１１ｂ，１２ｂを取付けてパネル装着部１１ｃ，１２ｃを有し、そのパネル装着部１１ｃ，１２ｃにパネル７がそれぞれ装着してある。
前記中間横材１３は、その上部と下部に開き窓部２、嵌め殺し窓部３を形成する第１の中間横材１３−１と、上部と下部に嵌め殺し窓部３をそれぞれ形成する第２の中間横材１３−２を有している。
【００２３】
前記第１の中間横材１３−１は図４、図５に示すように、室外側部の上下に障子収納部１３ａとアタッチメント取付部１３ｂを有している。
前記障子収納部１３ａには障子６の上框６ｂ、下框６ｃが収納される。この上框６ｂ、下框６ｃは前述の縦框６ａと同一断面形状で、障子収納部１３ａは前記縦框１０の障子収納兼アタッチメント取付部１０ａと同様に鉤形状で、上框６ｂ、下框６ｃのシール材４０が当接する障子当接部５０と、本体４１が接するシール材５１を有している。
前記アタッチメント取付部１３ｂは、突出板５２に係止片５３を設けたもので、横アタッチメント５４の係止受片５５が係止して取付けられる。
【００２４】
なお、図４に示す第１の中間横枠１３−１は、上部に嵌め殺し窓部３、下部に開き窓部２を形成しているので、障子収納部１３ａが下でアタッチメント取付部１３ｂは上としてある。
図５に示す第１の中間横枠１３−１は、上部に開き窓部２、下部に嵌め殺し窓部３を形成しているので、障子収納部１３ａが上で、アタッチメント取付部１３ｂが下としてある。
【００２５】
前記第２の中間横枠１３−２は図５に示すように、本体５６の室外側部に押縁５７を取付けて上部と下部にパネル装着部５８を有したもので、その各パネル装着部５８にパネル７が装着される。
【００２６】
前述の障子６を枠部５に開閉自在に取付けた開き窓部２は、辷り出し窓、回転窓、外倒し窓などと同様に障子６を枠部６に開閉自在に取付けてある。
【図面の簡単な説明】
【００２７】
【図１】本発明の実施の形態を示すカーテンウォールの一部外観観図である。
【図２】図１のＡ−Ａ拡大詳細断面図である。
【図３】図１のＢ−Ｂ拡大詳細断面図である。
【図４】図１のＣ−Ｃ拡大詳細断面図である。
【図５】図１のＤ−Ｄ拡大詳細断面図である。
【符号の説明】
【００２８】
１…パネルユニット、２…開き窓部、３…嵌め殺し窓部、４…枠体、５…枠部、６…障子、６ａ…縦框、７…パネル、１０…縦框、１０ａ…障子収納兼アタッチメント取付部、２０…縦枠アタッチメント、２０ａ…室外側面、３１…横向板、３２…突出板、４１ａ…内向突部、４４…障子パネル、ａ…縦空間部、ｂ…内側端面、ｃ…内側端面。
【図１】
2008285912.tif 000003
【図２】
2008285912.tif 000004
【図３】
2008285912.tif 000005
【図４】
2008285912.tif 000006
【図５】
2008285912.tif 000007